(57)【要約】【課題】  表示装置に表示する映像の画質に関する情報を判定し、その情報に応じて、表示装置に適切なサイズで表示するための映像処理を実行する映像処理装置及び映像処理装置の制御方法を提供する。【解決手段】  入力されている映像信号の画質に関する情報（映像の解像度情報やビットレート情報など）と、映像の解像度やビットレートに応じて予め設定された映像表示サイズを保持した決定テーブルとを用いて、入力されている映像信号を表示するのに最適なサイズ（拡大率）を決定する。【選択図】  図６
2008152114.tif 000002
【特許請求の範囲】
【請求項１】
映像信号の入力を受ける入力手段と、
前記入力手段で受けた映像信号の画質に関する情報を取得する取得手段と、
映像信号の画質に関する情報と、当該情報に対応する映像の表示サイズに関する情報とを関連づけた映像表示サイズ決定情報を保持する保持手段と、
前記取得手段で取得した画質に関する情報と、前記映像表示サイズ決定情報とに基づいて、前記入力手段で受けた映像信号の映像表示サイズを決定する制御手段と、
を有することを特徴とする映像処理装置。
【請求項２】
前記制御手段は、映像信号の画質特性または映像信号の入力端子の種別に応じて、前記保持手段に保持された映像表示サイズを調整することを特徴とする請求項１に記載の映像処理装置。
【請求項３】
ユーザからの映像表示サイズの調整指示を受け付ける受付手段を有し、
前記制御手段は、前記入力手段で受けた映像信号の映像表示サイズを前記受付手段で受け付けた調整指示に応じて調整することを特徴とする請求項１に記載の映像処理装置。
【請求項４】
前記制御手段は、映像信号の画質に関する情報によらず、入力された映像信号を一定の映像表示サイズとする制御と、映像信号の画質に関する情報に応じて映像表示サイズを変更する制御とのいずれか一方をユーザからの指示に応じて選択的に実行することを特徴とする請求項１に記載の映像処理装置。
【請求項５】
映像信号の入力を受ける入力ステップと、
前記入力ステップで受けた映像信号の画質に関する情報を取得する取得ステップと、
映像信号の画質に関する情報と、当該情報に対応する映像の表示サイズに関する情報とを関連づけた映像表示サイズ決定情報を保持する保持部から映像表示サイズ決定情報を抽出する抽出ステップと、
前記取得ステップで取得した画質に関する情報と、前記抽出ステップで抽出した映像表示サイズ決定情報とに基づいて、前記入力ステップで受けた映像信号の映像表示サイズを決定する決定ステップと、
を有することを特徴とする映像処理装置の制御方法。
【請求項６】
前記決定ステップでは、映像信号の画質特性または映像信号の入力端子の種別に応じて、前記抽出ステップで抽出された映像表示サイズを調整することを特徴とする請求項５に記載の映像処理装置の制御方法。
【請求項７】
ユーザからの映像表示サイズの調整指示を受け付ける受付ステップを有し、
前記決定ステップでは、前記入力ステップで受けた映像信号の映像表示サイズを前記受付ステップで受け付けた調整指示に応じて調整することを特徴とする請求項５に記載の映像処理装置の制御方法。
【請求項８】
前記決定ステップでは、映像信号の画質に関する情報によらず、入力された映像信号を一定の映像表示サイズとする制御と、映像信号の画質に関する情報に応じて映像表示サイズを変更する制御とのいずれか一方をユーザからの指示に応じて選択的に実行することを特徴とする請求項５に記載の映像処理装置の制御方法。
【発明の詳細な説明】
【技術分野】
【０００１】
本発明は、入力された映像信号を表示装置に表示するにあたり、映像信号を任意のサイズに拡大する映像処理を実行する映像処理装置及び映像処理装置の制御方法に関する。
【背景技術】
【０００２】
近年、デジタル放送の開始によって、１９２０×１０８０の画素数を有するＨＤ（Ｈｉｇｈ  Ｄｅｆｉｎｉｔｉｏｎ）などの高画質映像の普及が進んでいる。さらに、ＨＤの約４倍の画素数（４０９６×２１６０）を有するデジタルシネマや、ＨＤの約１６倍の画素数（７６８０×４３２０）を有する、日本放送協会が研究開発を行っているＵＨＤ（Ｕｌｔｒａ  Ｈｉｇｈ  Ｄｅｆｉｎｉｔｉｏｎ）といった、ＨＤ以上の高画質映像も出てきつつある。それに伴い、これらの映像を表示するディスプレイやプロジェクタなどの表示装置も大画面化、高精細化が進んできている。
【０００３】
このような大画面および高精細な表示装置に、ＳＤ（Ｓｔａｎｄａｒｄ  Ｄｅｆｉｎｉｔｉｏｎ）映像など、画素数の低い映像を表示する場合、ＳＤ映像の１画素を高画素数の表示装置の１画素に割り当てると、画面サイズに比べ表示サイズが小さくなってしまい視認性が良くない。例えば、４０００×２０００の画素数を有する表示装置に７２０×４８０画素のＳＤ映像をそのまま表示すると、映像の表示されない領域が非常に多くなり、画面サイズに比べて映像が小さく表示される。デジタルシネマなどに代表されるように、高解像の表示装置は大画面であり、視聴者は画面から比較的離れた位置で映像を視聴する。従って、小さく表示された映像は認識が困難になる。
【０００４】
そのため、特許文献１に記載された手法などを用いて、サイドパネル表示やレターボックス表示などのあらかじめ決められた表示形態に沿って、低解像度映像を全画面に拡大して表示を行う方法が知られている。
【特許文献１】特開平５−２５２４５７号公報
【発明の開示】
【発明が解決しようとする課題】
【０００５】
特許文献１に開示の技術では、どのような解像度の信号でも、ディスプレイの全画面サイズなど、予め決められたサイズへの拡大が可能である。しかしながら、予め決められたサイズへ映像を拡大した場合、画素の補間処理などの画像処理の影響で、画像がボケてしまう。特に、元来画素数の多い映像を拡大する場合に比べて、画素数の少ない低解像度の映像は拡大倍率も大きくなる。即ち、低解像度の映像の方が拡大処理によって生じる画質低下の影響が大きい。
【０００６】
従って、低解像や低画質の映像コンテンツを高解像の表示装置に拡大表示する場合、視聴者の視認性を極力低下させずに、拡大処理によって生じる画質低下を抑制するという相反する制御を実行する必要がある。
【０００７】
本発明は、上述した課題を解決するためになされたもので、表示装置に表示する映像の画質に関する情報を判定し、その情報に応じて、表示装置に適切なサイズで表示するための映像処理を実行する映像処理装置及び映像処理装置の制御方法を提供することを目的とする。
【課題を解決するための手段】
【０００８】
上記目的を達成するために、本発明の映像処理装置は、映像信号の入力を受ける入力手段と、前記入力手段で受けた映像信号の画質に関する情報を取得する取得手段と、映像信号の画質に関する情報と、当該情報に対応する映像の表示サイズに関する情報とを関連づけた映像表示サイズ決定情報を保持する保持手段と、前記取得手段で取得した画質に関する情報と、前記映像表示サイズ決定情報とに基づいて、前記入力手段で受けた映像信号の映像表示サイズを決定する制御手段と、を有する。
【０００９】
また、上記目的を達成するために、本発明の映像処理装置の制御方法は、映像信号の入力を受ける入力ステップと、前記入力ステップで受けた映像信号の画質に関する情報を取得する取得ステップと、映像信号の画質に関する情報と、当該情報に対応する映像の表示サイズに関する情報とを関連づけた映像表示サイズ決定情報を保持する保持部から映像表示サイズ決定情報を抽出する抽出ステップと、前記取得ステップで取得した画質に関する情報と、前記抽出ステップで抽出した映像表示サイズ決定情報とに基づいて、前記入力ステップで受けた映像信号の映像表示サイズを決定する決定ステップと、を有する。
【発明の効果】
【００１０】
以上説明したように、本発明によれば、低画質の映像を表示装置に表示するために映像処理を行う場合、視聴者にとって視認性の良い適切なサイズで表示することが可能となる。
【発明を実施するための最良の形態】
【００１１】
（実施形態１）
以下、図面を参照して、本発明の好適な実施形態について説明する。
【００１２】
図１は、本発明の実施形態１に係る、映像処理装置を示すブロック図である。１０１はアンテナからの放送信号出力端子や、ビデオデッキ、ＤＶＤレコーダなどの映像出力端子やネットワーク端子など、外部機器の出力端子が接続される映像信号入力端子である。
【００１３】
１０２は入力端子１０１に接続された端子の放送信号や映像信号、外部機器の各種信号情報が入力される入力部である。１０３は入力部１０２により得られた映像信号を、実際にディスプレイに表示を行う映像信号へデコード処理を行うデコーダ部である。
【００１４】
このデコード処理では、デジタル信号の場合はデジタル信号の復号化などの再生処理、アナログ信号の場合はＡ／Ｄ変換などのデジタル変換処理、映像のノイズを低減するノイズリダクション処理などが行われる。デコード処理の際には、デジタル信号のデコード時のエラーレート情報や、Ａ／Ｄ変換時のデジタル信号の情報量、映像のノイズ情報が算出される。
【００１５】
１０４はデコーダ部１０３においてデコードされた映像を拡大や縮小といったスケーリング処理を実行するスケーラ部である。即ち、スケーラ部１０４が映像の表示サイズ調整を行う。１０５はスケーラ部１０４でスケーリング処理が行われた映像の出力を行う。１０９は映像信号出力部１０５より出力される映像信号をディスプレイやプロジェクタなどの表示装置（不図示）へ出力する映像信号出力端子である。
【００１６】
１０６は入力部１０２より入力された入力信号を元に、ビットレート情報や映像の符号化フォーマットなどの映像情報を検出する映像情報検出部である。また、映像情報検出部１０６は、デコード時のエラーレートやノイズ量などの映像情報をデコーダ部１０３から取得する。
【００１７】
１０７は映像情報検出部１０６が検出及び取得した各種の映像情報と、メモリ部１０８に予め保持された映像表示サイズ情報とに基づいて映像の表示サイズを決定する表示サイズ制御部である。表示サイズ制御部１０７が決定した表示サイズはスケーラ部１０４で実行するスケーリング処理に適用される。
【００１８】
図２は、本実施形態においてデジタル放送信号を受信する場合の、デジタル放送信号と映像情報の構成例を示す図である。図２に示すように、デジタル化された放送信号は、ＴＳ（Ｔｒａｎｓｐｏｒｔ  Ｓｔｒｅａｍ）信号と呼ばれる形態を有する。ＴＳ信号は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ、国際電気標準会議）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ、電気電子学会）、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ、電波産業会）等の各種規格や規格団体等の規格により規定されている。ＴＳ信号は、動画信号であるｖｉｄｅｏ部５１、音声信号であるａｕｄｉｏ部５２、それ以外のデータ信号であるｄａｔａ部５３より成る。
【００１９】
そして、ｖｉｄｅｏ部５１を収集して再構成すると、ｓｅｑｕｅｎｃｅ＿ｈｅａｄｅｒ（シーケンスヘッダ）、ＧＯＰ（Ｇｒｏｕｐ  Ｏｆ  Ｐｉｃｔｕｒｅｓ）などからなる映像データが得られる。
【００２０】
このシーケンスヘッダ内には、Ｓｅｑｕｅｎｃｅ  Ｈｅａｄｅｒ  Ｃｏｄｅ記述子、Ｈｏｒｉｚｏｎｔａｌ  Ｓｉｚｅ  Ｖａｌｕｅ記述子、Ｖｅｒｔｉｃａｌ  Ｓｉｚｅ  Ｖａｌｕｅ記述子、Ａｓｐｅｃｔ  Ｒａｔｉｏ  Ｉｎｆｏｒｍａｔｉｏｎ記述子、Ｂｉｔ  Ｒａｔｅ  Ｖａｌｕｅ記述子などが含まれている。
【００２１】
このうち、Ｈｏｒｉｚｏｎｔａｌ  Ｓｉｚｅ  Ｖａｌｕｅ記述子には映像の横ラインの画素数、Ｖｅｒｔｉｃａｌ  Ｓｉｚｅ  Ｖａｌｕｅ記述子には映像の縦ラインの画素数が記述されている。また、Ａｓｐｅｃｔ  Ｒａｔｉｏ  Ｉｎｆｏｒｍａｔｉｏｎ記述子にはアスペクト比が記述されている。従って、これらの情報から入力された映像の解像度に関する情報を検出することが可能となる。また、Ｂｉｔ  Ｒａｔｅ  Ｖａｌｕｅ記述子には映像のビットレート情報が記述されている。従って、この情報から入力された映像のビットレートに関する情報を検出することができる。
【００２２】
また、ｄａｔａ部５３を収集して再構成すると、ＰＡＴ（Ｐｒｏｇｒａｍ  Ａｓｓｏｃｉａｔｉｏｎ  Ｔａｂｌｅ、プログラムアソシエーションテーブル）、ＰＭＴ（Ｐｒｏｇｒａｍ  Ｍａｐ  Ｔａｂｌｅ、プログラムマップテーブル）、ＮＩＴ（Ｎｅｔｗｏｒｋ  Ｉｎｆｏｒｍａｔｉｏｎ  Ｔａｂｌｅ、ネットワーク情報テーブル）などからなるＴＳ管理情報テーブルが得られる。
【００２３】
ここで、プログラムマップテーブルには、テーブルＩＤ、サービスＩＤ等の情報に加えて、番組の最大ビットレートを示すｍａｘｉｍｕｍ＿ｂｉｔ＿ｒａｔｅ記述子、解像度情報を示すｃｏｍｐｏｎｅｎｔ＿ｔｙｐｅ記述子、ストリームの種別を示すｓｔｒｅｍ＿ｔｙｐｅ記述子が含まれている。
【００２４】
ｍａｘｉｍｕｍ＿ｂｉｔ＿ｒａｔｅ記述子には、１０Ｍｂｐｓや２０Ｍｂｐｓなどというように、映像のビットレート情報が記述されている。また、ｃｏｍｐｏｎｅｎｔ＿ｔｙｐｅ記述子には、１０８０ｉや４８０ｉなどというように、映像の解像度情報が記述されている。また、ｓｔｒｅｍ＿ｔｙｐｅ記述子には、ＭＰＥＧ２やＨ．２６４など映像符号化フォーマット情報が記述されている。これらの情報を抜き出すことによって、映像の解像度およびビットレート情報、映像信号の符号化フォーマット情報の検出が行われる。
【００２５】
また、他にもＤＶＤレコーダから信号を入力する場合には、ＬＡＮ端子や専用の信号線を用いることで、ＸＰ（高画質、約８Ｍｂｐｓ）、ＳＰ（標準画質、約４Ｍｂｐｓ）などといった、録画モード情報などを取得することができる。従って、放送に限らず、映像の解像度およびビットレート情報、映像信号の符号化フォーマット情報を検出することが可能である。
【００２６】
上述したように、本実施形態における映像処理装置では、入力端子１０１、入力部１０２で入力された映像信号がデコード部１０３、および映像情報検出部１０６に出力される。デコード部１０３は、映像信号をデコードしてスケーラ部１０４へ出力する。また、デコード時に検出したエラー情報を映像情報検出部１０６へ出力する。
【００２７】
次に、映像情報検出部１０６は、入力部１０２からの映像信号およびデコード部１０３からのエラー情報を元に、映像の画質に関する情報を検出し、検出結果を映像表示サイズ制御部１０７へ出力する。また、映像情報検出部１０６は、入力されている映像信号の途切れや映像の画質情報の変化、どの入力端子からの映像信号かを常時監視する。
【００２８】
映像表示サイズ制御部１０７は、映像情報検出部１０６から入力された映像の画質に関する情報とメモリ部１０８に保持された映像表示サイズ情報テーブルとに基づいて、映像表示サイズを決定する。そして、決定した映像表示サイズに従って、スケーラ部１０４へ表示サイズに関する指示を出力する。スケーラ部１０４は、デコード部１０３から入力された映像信号に対して、映像表示サイズ決定部１０７から指示された表示サイズとなるようにスケーリング処理を行う。その後、スケーラ部１０４は、スケーリングが行われた映像信号を映像出力部１０５に出力する。映像出力部１０５は映像出力端子１０９を介してディスプレイへ出力され、ディスプレイにて映像が表示される。
【００２９】
図３は、本発明の実施形態１における映像の表示例を示す図である。画素数が４０００×２０００の高精細ディスプレイに、解像度の低いＳＤ画質の映像を表示した場合、ＳＤの解像度でもビットレートが高く画質の良い映像は大きめに表示し、ＳＤの解像度でもビットレートが低く画質の悪い映像は、拡大しすぎると映像が粗くなり視認性が良くないため、小さめに表示が行われる。以後、このような表示例を実現するための動作手順について説明を行う。
【００３０】
図４は、本発明の実施形態１に係る映像処理装置における映像表示サイズ決定手順を説明するためのフローチャートである。
【００３１】
映像処理装置は、映像情報検出部１０６において、入力部１０２に入力されている映像信号の途切れや映像の画質に関する情報に変化があるかどうかを検出する。（Ｓ３０１）。
【００３２】
ステップＳ３０１において、信号の途切れや映像の画質に関する情報の変化が検知された場合、映像表示サイズの変更処理を行う（Ｓ３０２）。
【００３３】
また、ステップＳ３０１における検出の結果、信号の変化が生じなければ、映像表示サイズの決定処理は行われず、前回の表示サイズ設定を用いてスケーリング処理が実行される。
【００３４】
ここで、ステップＳ３０２の映像表示サイズ変更処理の詳細をフローチャートとして図５に示す。
【００３５】
まず、入力されている映像信号の情報を取得する（Ｓ４０１）。
【００３６】
この処理は、映像情報検出部１０６で行われ、映像の情報として、映像の解像度情報とその映像のビットレート情報を検出する。映像の解像度情報やビットレート情報の検出については、上述した通りである。
【００３７】
次に、映像情報検出部１０６で検出した情報に基づいて、表示サイズ制御部１０７が表示サイズの決定処理を行う（Ｓ４０２）。
【００３８】
この処理は、ステップＳ４０１で検出した映像の画質に関する情報と、メモリ部１０８に保持された映像の表示サイズのテーブル情報とに基づいて実行される。
【００３９】
メモリ部１０８に保持された、映像の画質に関する情報に対応した映像表示サイズの決定テーブル（映像表示サイズ決定情報）の例を図６に示す。
【００４０】
決定テーブルには、４８０ｉや４８０ｐ、７２０ｐなどの解像度情報と、その解像度におけるビットレート情報が対応付けられている。さらに、ビットレートの閾値情報によって映像の画質が分類され、その画質に応じた映像の表示サイズ情報が関連づけて保持されている。この表示サイズ情報は、予めディスプレイやプロジェクタなどの表示装置の解像度情報に基づいて決定されている。決定テーブルでは、表示装置の解像度情報に基づいて映像表示サイズが決定される。従って、多数の解像度情報に対応した複数の決定テーブルをメモリ部１０８に保持しておき、表示装置の解像度情報を手動または自動で設定することで、利用する決定テーブルを設定することができる。もちろん、表示装置の解像度情報が事前に判明している場合は、その解像度情報に対応する一つの決定テーブルをメモリ部１０８に格納しておくことでも構わない。
【００４１】
ここで、図６に示した例の場合、入力された映像の解像度が４８０ｉでも、ビットレートが４Ｍｂｐｓ以下である映像は、拡大しすぎると視認性の悪い映像になってしまうため、視認性が保たれる２．０倍までに抑えて拡大を行う。また、同じ４８０ｉの解像度で、ビットレートが８Ｍｂｐｓ以上の映像の場合は、４Ｍｂｐｓ以下の映像に比べると画質が良い。従って、ビットレートが４Ｍｂｐｓ以下の映像と比べて、拡大しても視認性の低下は穏やかである。そのため、視認性が保たれる３．０倍まで拡大を行うように設定されている。また、インターレース映像である４８０ｉに比べてプログレッシブ映像である４８０ｐの方が同じビットレートであれば画質は高い。当然ながら、解像度が高い７２０ｐなども高画質である。従って、これらの解像度の映像が入力された場合は、４８０ｉの入力映像の拡大率に比べ、表示サイズも大きく設定してある。なお、決定テーブルに保持された映像表示サイズは、実験などのデータから最適と考えられる表示サイズを定めれば良い。
【００４２】
次に、ステップＳ４０２で決定された映像表示サイズ情報を元に、スケーラ部１０４にて、スケーリング処理が実行される（Ｓ４０３）。
【００４３】
これらの処理の結果、入力された映像信号の画質に関する情報に基づき、適切な表示サイズで映像が表示される。
【００４４】
なお、上述の処理では、解像度情報およびビットレート情報という画質に関する情報に基づいて映像の表示サイズを決定した。しかし、ＭＰＥＧ２やＨ．２６４などの、映像符号化フォーマットの違いによっても画質状態が異なるため、映像信号のフォーマット情報を考慮した判定を行うことにより、映像信号の特性に応じた表示サイズ決定が行えることとなる。
【００４５】
映像の解像度情報及びビットレート情報に加えて、映像符号化フォーマット情報を加味した映像表示サイズの決定テーブルの例を図７に示す。
【００４６】
図６に示した決定テーブルの情報に加えて、ＭＰＥＧ２やＨ．２６４などの映像信号の符号化フォーマット情報が規定されている。そして、解像度情報、フォーマット情報、ビットレート情報の組合せに応じて、映像表示サイズが定義されている。
【００４７】
この図７のテーブル情報を元にステップＳ４０２にて映像表示サイズが決定されることにより、入力された映像の画質に応じ、視認性の損なわれないサイズにて映像の表示が可能となる。
【００４８】
さらに、映像の画質に関する情報として、デコード時のエラーレートやノイズリダクション処理のノイズエラー量といった映像信号の画質特性情報を利用することもできる。例えば、映像デコード時のエラー情報を利用した映像表示サイズの調整テーブルの例を図８に示す。
【００４９】
メモリ部１０８には、図６や図７で示した決定テーブルの他に、表示サイズ調整テーブルとして図８に示す情報が保持されている。この調整テーブルは、図６や図７の決定テーブルで決定された映像表示サイズを、エラー情報を用いて調整するために利用される。なお、映像情報検出部１０６がデコード部１０３よりデコード時のエラーレートを取得することで、表示サイズ制御部１０７が映像表示サイズの調整を行うことが可能となる。
【００５０】
図８に示した例の場合、エラーがほとんど発生していない映像信号の場合は、映像表示サイズに対して１．０倍を掛ける。つまり、決定テーブルで決定した映像表示サイズを変更しない。しかし、エラー発生度合いが中程度の場合は、ノイズが混じた映像を拡大表示することで、視聴者にノイズが検知されやすくなり、結果として画質の低下を招く恐れがあるため、決定テーブルで決定した映像表示サイズを０．９倍する。つまり、エラー発生が無い場合に比べて映像表示サイズを縮小する。また、エラー発生度合いが大きい場合は、さらに縮小するため、決定テーブルで決定した映像表示サイズに０．８倍を掛けるように設定されている。
【００５１】
また、入力される映像の画質は、映像入力端子の違いによっても左右される。従って、映像信号が入力された入力端子の情報を利用して、映像のサイズを調整することにより、より画質に応じた映像の表示サイズ調整を行うことが可能となる。
【００５２】
メモリ部１０８には、図６や図７で示した決定テーブルの他に、表示サイズ調整テーブルとして、図９に示す情報が保持されている。この調整テーブルは、図６や図７の決定テーブルで決定された映像表示サイズを、映像信号が入力された入力端子の種別情報を用いて調整するために利用される。なお、映像情報検出部１０６が入力部１０２より映像信号が入力された端子情報を取得することで、表示サイズ制御部１０７が映像表示サイズの調整を行うことが可能となる。
【００５３】
図９に示した例の場合、コンポジット端子やＳ端子などのアナログ系の入力端子と、ＤＶ端子やＨＤＭＩ端子などのデジタル系の入力端子に対する映像の表示サイズ調整情報が保持されている。
【００５４】
ＤＶ端子やＨＤＭＩ端子などのデジタル系入力は画質劣化が少ないため、決定テーブルで決定された映像表示サイズを調整しない。従って、調整率として１．０倍を掛けるのに相当する。しかし、Ｄ端子およびコンポーネント端子はＹ／Ｃｂ／Ｃｒの色差入力により高画質な映像が伝送可能であるが、アナログ信号であるため、デジタル入力に比べてやや画質劣化が発生する。そのため、決定テーブルで決定した映像表示サイズを０．９倍する。つまり、デジタル入力の場合に比べて映像表示サイズを縮小する。同様の考え方により、Ｄ端子よりも画質の低下が生じるＳ端子を利用した信号入力の場合は０．８倍するように設定されている。また、Ｓ端子よりも画質の低下が生じるコンポジット端子を利用した信号入力の場合は０．７倍するように設定されている。
【００５５】
以上説明したように、本実施形態では、入力された映像信号の画質に関する情報を用いて、表示装置に表示する場合の最適な画像サイズを決定する。これにより、視聴者に対して適切に映像を表示することが可能となる。
【００５６】
また、エラー情報や入力端子の種別などに応じて、画像サイズを調整可能とすることにより、画像の拡大処理によって生じる画質の劣化を目立たせずに映像を拡大表示することが可能となる。
【００５７】
（実施形態２）
次に、実施形態２として、ユーザの入力によって映像の表示サイズを調整可能な実施形態を説明する。上述した実施形態１では、決定テーブルで決定された映像表示サイズは、映像の画質に関する情報が変更されない限り、同じ映像表示サイズとなっていた。対して、本実施形態では、決定テーブルで決定された映像表示サイズを、ユーザが任意に調整することを可能とするものである。
【００５８】
図１０は、本発明の第２の実施形態に係る、映像処理装置を示すブロック図である。なお、上述した実施形態１と同様の機能を有するブロックについては図１で示したブロック図と同一の符号を付し、説明を省略する。
【００５９】
１１０は、キーボードやリモコンなど、ユーザによる操作入力信号を受信するＩ／Ｆ信号入力端子である。１１１は、ユーザＩ／Ｆ信号入力端子１１０で受信したユーザによる操作信号を検出し、信号内容を解析するユーザＩ／Ｆ信号検出部である。なお、本実施形態では、ユーザによって、表示されている映像の拡大または縮小を指示する操作が可能である。
【００６０】
１１２はユーザＩ／Ｆ信号検出部１１１で検出し、解析された操作信号に基づいて、表示サイズ制御部１０７に対して映像表示サイズの制御に利用する情報を通知するユーザＩ／Ｆ制御部である。
【００６１】
さらに、１１３は、ユーザＩ／Ｆ制御部１１２からの指示により、ユーザが操作を行うための画面や操作結果をグラフィックユーザインターフェース（ＧＵＩ）として表示するグラフィック表示部である。
【００６２】
図１１は、本発明の実施形態２に係る映像処理装置における映像表示サイズ決定手順を説明するためのフローチャートである。以後、本フローチャートを用いて実施形態２を説明する。
【００６３】
前提として、映像処理装置の入力端子１０１から入力された映像が、表示装置に表示されているものとする。
【００６４】
まず、ユーザＩ／Ｆ制御部１１２には、ユーザＩ／Ｆ信号入力端子１１０で受信したユーザによる操作信号をユーザＩ／Ｆ検出部１１１が解析した結果が入力される。そして、ユーザＩ／Ｆ制御部１１２は、ユーザによる指示が映像表示サイズの調整要求かどうかを判定する（Ｓ５０１）。
【００６５】
ステップＳ５０１において映像表示サイズの変更処理であるとユーザＩ／Ｆ制御部１１２が判定した場合、さらにユーザＩ／Ｆ制御部１１２は、ユーザによる指示が映像の調整指示、ここでは拡大要求かどうかを判定する（Ｓ５０２）。
【００６６】
ステップＳ５０２において映像の拡大要求であるとユーザＩ／Ｆ制御部１１２が判定した場合、ユーザＩ／Ｆ制御部１１２は表示サイズ制御部１０７へ拡大処理を要求する指示を発行する。指示を受けた表示サイズ制御部１０７は、現在の映像表示サイズを元にさらに拡大した映像表示サイズとなるようにスケーラ部１０４へ指示する。スケーラ部１０４では、表示サイズ制御部１０７からの指示に応じて映像信号をスケーリングし、スケーリングされた映像が映像出力部１０５を介して表示装置に送出される。（Ｓ５０３）。
【００６７】
また、ステップＳ５０２において映像の拡大要求でないとユーザＩ／Ｆ制御部１１２が判定した場合、つまり、ユーザからの指示は映像の縮小要求であると判定した場合は、ステップＳ５０４へ移行する。ステップＳ５０４では、ユーザＩ／Ｆ制御部１１２は表示サイズ制御部１０７へ縮小処理を要求する指示を発行する。指示を受けた表示サイズ制御部１０７は、現在の映像表示サイズを元にさらに縮小した映像表示サイズとなるようにスケーラ部１０４へ指示する。スケーラ部１０４では、表示サイズ制御部１０７からの指示に応じて映像信号をスケーリングし、スケーリングされた映像が映像出力部１０５を介して表示装置に送出される。
【００６８】
以上のフローチャートを実行することにより、映像の表示サイズをユーザが調整することが可能となる。また、ユーザの表示サイズの調整結果をメモリ部１０８で保持している映像表示サイズの決定テーブル（図６または図７に示したテーブル）の映像表示サイズ情報に反映することも可能である。
【００６９】
なお、上述したユーザによる映像表示サイズの調整処理を実行するため、グラフィック表示部は、図１２に示すようなＧＵＩを表示装置に表示することが考えられる。図１２に示した例では、実施形態１で説明した方法で決定された映像表示サイズで表示しているＳＤ画質の映像の表示サイズを、リモコンなどを使用してユーザが調整可能であることを操作ガイドとして表示している。
【００７０】
（その他の実施形態）
なお、上述した実施形態１では、入力された映像の画質に関する情報を用いて、自動的に映像表示サイズを決定していたが、実施形態１に示した映像処理方法と、従来の全画面表示方法をユーザが選択可能とすることも可能である。この場合の、映像表示サイズ決定の設定画面例を図１３に示す。この設定画面はＧＵＩとしてユーザに提示されるものである。
【００７１】
図１３の例では、映像サイズの自動表示設定と、常に映像を全画面に拡大して表示する固定設定の項目がユーザによって選択可能である。また、自動表示時にどのように調整を行うかの詳細設定も可能である。映像処理装置の設定メニューの一つとして、映像表示サイズ設定のメニューを設ける。ユーザが本メニューを選択すると、図１３に示したようなＧＵＩが表示されるものである。
【００７２】
ユーザが図１３に示したＧＵＩを利用して、全画面表示（固定）ボタンを選択して決定すると、上述した実施形態１に示した処理は実行されず、入力された映像のサイズや符号化フォーマットなどによらず、常に全画面サイズに拡大して表示する。また、自動表示サイズ調整ボタンを選択して決定すると、実施形態１に示した処理が実行されることになる。なお、詳細設定ボタンを選択した場合は、図６または図７に示した決定テーブルに保持される表示サイズ情報をユーザが任意に変更することを可能とする。
【００７３】
実施形態２で説明した映像処理方法は、入力された映像の表示中にユーザによる指示で映像表示サイズを変更可能とするものである。対して、本実施形態は、映像処理装置の設定値として、予め実施形態１の方法で映像表示サイズを決定するか、常に全画面サイズに拡大して表示するかを事前に選択するものである。即ち、表示サイズ制御部１０７は、全画面サイズでの表示制御と、実施形態１の方法による映像表示サイズの表示制御のどちらも実行可能となる。
【００７４】
なお、本実施形態では、映像の画質に関する情報によらず、常に全画面サイズに拡大して表示するように構成しているが、本発明は全画面サイズでの表示に限定されるものではなく、画質に関する情報によらず、一定の表示サイズで表示するケースを含むものである。
【００７５】
このような構成を有することで、常に全画面表示となるように拡大表示する従来の映像表示方法と、実施形態１で説明したような、画質情報に応じた自動サイズ調整を、ユーザが任意に選択することが可能となる。
【図面の簡単な説明】
【００７６】
【図１】本発明の実施形態１における映像処理装置のブロック図である。
【図２】デジタル放送信号と映像情報の構成例を示す図である。
【図３】本発明の実施形態１における映像の表示例を示す図である。
【図４】本発明の実施形態１における映像表示サイズの決定手順を示すフローチャートである。
【図５】本発明の実施形態１における映像表示サイズの決定手順を示すフローチャートである。
【図６】本発明における映像表示サイズを決定するための決定テーブルの概念図である。
【図７】本発明における映像表示サイズを決定するための決定テーブルの概念図である。
【図８】本発明におけるエラー情報に応じた映像表示サイズの調整テーブルの概念図である。
【図９】本発明における入力端子種別に応じた映像表示サイズの調整テーブルの概念図である。
【図１０】本発明の実施形態２における映像処理装置のブロック図である。
【図１１】本発明の実施形態２における映像表示サイズの調整手順を示すフローチャートである。
【図１２】本発明の実施形態２における映像表示サイズ調整用のＧＵＩの一例を示す図である。
【図１３】本発明のその他の実施形態における映像表示サイズ設定メニューのＧＵＩの一例を示す図である。
【図１】
2008152114.tif 000003
【図２】
2008152114.tif 000004
【図３】
2008152114.tif 000005
【図４】
2008152114.tif 000006
【図５】
2008152114.tif 000007
【図６】
2008152114.tif 000008
【図７】
2008152114.tif 000009
【図８】
2008152114.tif 000010
【図９】
2008152114.tif 000011
【図１０】
2008152114.tif 000012
【図１１】
2008152114.tif 000013
【図１２】
2008152114.tif 000014
【図１３】
2008152114.tif 000015